【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
縮小側共役面上に配置された画像表示素子に表示された画像を、拡大側共役面上に拡大像として投写可能な結像光学系であって、
拡大側から順に、複数のレンズにより構成された第１光学系と、複数のレンズにより構成された第２光学系とから実質的になり、
前記第２光学系は、前記画像表示素子上の画像を中間像として結像させ、
前記第１光学系は、前記中間像を前記拡大側共役面上に結像させ、
前記第１光学系の最も拡大側から最大画角の主光線と該第１光学系の光軸が交わる位置までの間に、フォーカシングの際に該第１光学系の光軸に沿って移動するフォーカス群を有し、
下記条件式（１）を満足する
ことを特徴とする結像光学系。
１０．０＜｜ｆＡ／ｆ｜＜５００．０  …（１）
ただし、
ｆＡ：フォーカシングの際に移動するレンズの焦点距離
ｆ：全系の焦点距離
とする。
【請求項２】
前記フォーカス群は、１枚の単レンズから実質的になる
請求項１記載の結像光学系。
【請求項３】
縮小側共役面上に配置された画像表示素子に表示された画像を、拡大側共役面上に拡大像として投写可能な結像光学系であって、
拡大側から順に、複数のレンズにより構成された第１光学系と、複数のレンズにより構成された第２光学系とから実質的になり、
前記第２光学系は、前記画像表示素子上の画像を中間像として結像させ、
前記第１光学系は、前記中間像を前記拡大側共役面上に結像させ、
前記第１光学系の最も拡大側から最大画角の主光線と前記第１光学系の光軸が交わる位置までの間は、拡大側から順に、負の屈折力を有する第１レンズ群と、２枚の単レンズから実質的になり正の屈折力を有する第２レンズ群とから実質的になり、
該第２レンズ群の前記２枚の単レンズの内いずれか１枚の単レンズを前記第１光学系の光軸に沿って移動させることでフォーカシングを行い、
下記条件式（１）を満足する
ことを特徴とする結像光学系。
１０．０＜｜ｆＡ／ｆ｜＜５００．０  …（１）
ただし、
ｆＡ：フォーカシングの際に移動するレンズの焦点距離
ｆ：全系の焦点距離
とする。
【請求項４】
下記条件式（２）および（３）を満足する
請求項３記載の結像光学系。
−３．０＜ｆ２１／｜ｆ｜＜−１．０  …（２）
５．０＜ｆ２２／｜ｆ｜＜２０．０  …（３）
ただし、
ｆ２１：前記第１レンズ群の焦点距離
ｆ２２：前記第２レンズ群の焦点距離
とする。
【請求項５】
前記第１レンズ群は、全て負レンズで構成されている
請求項３または４記載の結像光学系。
【請求項６】
前記第２レンズ群は、全て正レンズで構成されている
請求項３から５のいずれか１項記載の結像光学系。
【請求項７】
前記第２光学系は、該第２光学系の最も縮小側の面から前記縮小側共役面までの光軸上の間隔の変動の影響を補正する際に前記第２光学系の光軸に沿って移動する補正群を有する
請求項１から６のいずれか１項記載の結像光学系。
【請求項８】
下記条件式（４）を満足する
請求項７記載の結像光学系。
１０．０＜ｆＢ／｜ｆ｜＜１００．０  …（４）
ただし、
ｆＢ：前記補正群の焦点距離
とする。
【請求項９】
前記補正群は、前記第２光学系の最も拡大側に配置されている
請求項７または８記載の結像光学系。
【請求項１０】
前記補正群は、負レンズおよび正レンズが拡大側からこの順に接合された接合レンズから実質的になる
請求項７から９のいずれか１項記載の結像光学系。
【請求項１１】
下記条件式（５）を満足する
請求項１から１０のいずれか１項記載の結像光学系。
４．０＜Ｂｆ／｜ｆ｜  …（５）
ただし、
Ｂｆ：全系のバックフォーカス
とする。
【請求項１２】
前記第１光学系と前記第２光学系は、共通の光軸を有する
請求項１から１１のいずれか１項記載の結像光学系。
【請求項１３】
前記中間像は、光軸中心より周辺部が前記第２光学系側に像面湾曲している
請求項１から１２のいずれか１項記載の結像光学系。
【請求項１４】
下記条件式（１−１）を満足する
請求項１または３記載の結像光学系。
２０．０＜｜ｆＡ／ｆ｜＜２００．０  …（１−１）
【請求項１５】
下記条件式（２−１）を満足する
請求項４記載の結像光学系。
−２．０＜ｆ２１／｜ｆ｜＜−１．２  …（２−１）
【請求項１６】
下記条件式（３−１）を満足する
請求項４記載の結像光学系。
７．０＜ｆ２２／｜ｆ｜＜１５．０  …（３−１）
【請求項１７】
下記条件式（４−１）を満足する
請求項８記載の結像光学系。
２０．０＜ｆＢ／｜ｆ｜＜７０．０  …（４−１）
【請求項１８】
下記条件式（５−１）を満足する
請求項１１記載の結像光学系。
５．０＜Ｂｆ／｜ｆ｜＜２０．０  …（５−１）
【請求項１９】
下記条件式（１−ａ）を満足する
請求項１または３記載の結像光学系。
１０．０＜｜ｆＡ／ｆ｜＜９０．０  …（１−ａ）
【請求項２０】
下記条件式（１−ｂ）を満足する
請求項１９記載の結像光学系。
１０．０＜｜ｆＡ／ｆ｜≦８２．６１  …（１−ｂ）
【請求項２１】
下記条件式（１−ｃ）を満足する
請求項２０記載の結像光学系。
１０．０＜｜ｆＡ／ｆ｜≦５２．５５  …（１−ｃ）
【請求項２２】
下記条件式（５−ａ）を満足する
請求項１１記載の結像光学系。
４．０＜Ｂｆ／｜ｆ｜≦７．６８  …（５−ａ）
【請求項２３】
半画角が６５°以上である、請求項１から２２のいずれか１項記載の結像光学系。
【請求項２４】
前記結像光学系の中間位置に光路折り曲げ手段が配置されている、請求項１から２３のいずれか１項記載の結像光学系。
【請求項２５】
前記結像光学系中に２つの光路折り曲げ手段が設けられている、請求項１から２４のいずれか１項記載の結像光学系。
【請求項２６】
光源と、該光源からの光が入射するライトバルブと、該ライトバルブにより光変調された光による光学像をスクリーン上に投写する結像光学系としての請求項１から２５のいずれか１項記載の結像光学系とを備えたことを特徴とする投写型表示装置。
【請求項２７】
請求項１から２５のいずれか１項記載の結像光学系を備えた撮像装置。
【手続補正２】
【補正対象書類名】明細書
【補正対象項目名】００２２
【補正方法】変更
【補正の内容】
【００２２】
また、本発明の第１および第２の結像光学系においては、下記条件式（５）を満足することが好ましく、下記条件式（５−１）を満足することがより好ましい。
４．０＜Ｂｆ／｜ｆ｜  …（５）
５．０＜Ｂｆ／｜ｆ｜＜２０．０  …（５−１）
ただし、
Ｂｆ：全系のバックフォーカス
ｆ：全系の焦点距離
とする。
また、下記条件式（１−ａ）を満足することが好ましい。
１０．０＜｜ｆＡ／ｆ｜＜９０．０  …（１−ａ）
また、下記条件式（１−ｂ）を満足することが好ましい。
１０．０＜｜ｆＡ／ｆ｜≦８２．６１  …（１−ｂ）
また、下記条件式（１−ｃ）を満足することが好ましい。
１０．０＜｜ｆＡ／ｆ｜≦５２．５５  …（１−ｃ）
また、下記条件式（５−ａ）を満足することが好ましい。
４．０＜Ｂｆ／｜ｆ｜≦７．６８  …（５−ａ）
また、半画角が６５°以上であることが好ましい。
また、結像光学系の中間位置に光路折り曲げ手段が配置されていることが好ましい。
また、結像光学系中に２つの光路折り曲げ手段が設けられていることが好ましい。
【手続補正３】
【補正対象書類名】明細書
【補正対象項目名】００９７
【補正方法】変更
【補正の内容】
【００９７】
【表１７】
2017211480.tif 000001